(57)【要約】【課題】カッター付印刷装置で、用紙サイズの異なった用紙間で、印刷中の用紙がなくなった場合の別のサイズの用紙への切替をスムーズに行い、システムの稼動を停止させないこと。【解決手段】２つの互いに直角に配置したカッターを有する印刷装置で、複数の画像の合成画像とその画像のカット位置指示をプリンタに送り、印刷中の用紙がなくなった場合には、別サイズの用紙に合成画像を分離して別々の画像データとして印刷するように構成したことを特徴とする。【選択図】        図１
2004181845.tif 000002
【特許請求の範囲】
【請求項１】
ホストコンピュータで複数の小サイズの画像を合成し、その画像のカット位置を指定することにより合成画像を印刷後にカットして印刷結果を得ることができる印刷装置において、
少なくとも２種類の用紙サイズが装着可能であり、
現在印刷して用紙がなくなった場合に別の用紙に切替えて印刷する切替え手段を有し、
該切替え手段で印刷する場合に、該合成画像を該カット位置指定を参照して分離画像にする分離手段を有し、
該分離画像を別々の画像として印刷する印刷手段を有することを特徴とする印刷装置。
【発明の詳細な説明】
【０００１】
【発明の属する技術分野】
本発明は印刷装置に関する。
【０００２】
【従来の技術】
従来、２つの方向にカットするカッターを有する印刷装置としては、縁ナシ印刷を実現するために、四方をカットし、縁ナシ印刷を実現した例があった。
【０００３】
【発明が解決しようとする課題】
しかしながら、２つの方向にカットするカッターを有する印刷装置としては、１つの用紙サイズから複数の用紙サイズの印刷を得ることができる印刷装置はなかった。本発明では、１つの用紙サイズから複数の用紙サイズを出力することができる印刷を実現することに関連している。ここで、２種類の用紙がセットされており、一つは印刷原稿サイズより大きいサイズの用紙がセットされており、もう一つは印刷原稿サイズに一致している場合に、高速印刷を行うために最初大きいサイズの用紙に印刷し、その印刷結果をカットすることにより印刷原稿と同一サイズの印刷結果を得る。このとき、大きいサイズの用紙が用紙切れとなった場合、もう一つの同一サイズの用紙に印刷するような切替えを可能とする印刷装置を実現することにある。
【０００４】
【課題を解決するための手段】
上記目的を達成するために、請求項１記載の印刷装置は、ホストコンピュータで複数の小サイズの画像を合成し、その画像のカット位置を指定することにより合成画像を印刷後にカットして印刷結果を得ることができる印刷装置において、少なくとも２種類の用紙サイズが装着可能であり、現在印刷して用紙がなくなった場合に別の用紙に切替えて印刷する切替え手段を有し、該切替え手段で印刷する場合に、該合成画像を該カット位置指定を参照して分離画像にする分離手段を有し、該分離画像を別々の画像として印刷する印刷手段を有することを特徴とする。この切替え手段は、印刷中の用紙がなくなった場合に別の用紙に切替えるように動作する。また分離手段は、切替えた用紙サイズに合せて、予め合成しておいた合成画像をカット位置の指定を参照して別々の画像に分離するように動作する。
【０００５】
【発明の実施の形態】
以下、本発明の実施形態について、添付図面を参照して詳細に説明する。
【０００６】
（第１の実施例）
図１は本発明の第１の実施例を説明する印刷装置の断面図である。１０１は印字ヘッドであり、上段ロール１０２または下段ロール１０３から供給される用紙に印刷し、印刷後、第１カッター１０４で印刷したロール紙をカットする。カットされた第１カット済用紙１０７は搬送ローラ（第１の位置）１０５で用紙の後端を保持し、図中の矢印のように、搬送ローラ（第２の位置）１０６に搬送パスを切替えるように動作する。次に第１カット済用紙１０７は本印刷装置の上方に用紙を搬送し、第１排紙ローラ１０８または第３排紙ローラ１０９のいずれかに搬送される。この選択は、第２カッターユニット部１１１の第２カッター１２１でのカットを指示された場合に、第１排紙ローラ１０８側に第１カット済用紙１０７が搬送される。一方、第３排紙ローラ１０９側に搬送される場合は、第２カッター１２１でのカットを指示されない場合であり、搬送後、第１排紙部１１２に排紙される。第２カッター１２１でカットを指示された場合には、第１排紙ローラから第２カッターユニット部１１１に第１カット済用紙１０７が搬送され、第２カッター１２１によるカット工程に移行する。図２は第２カッターユニット部の説明図である。図１で説明したように第１搬送方向１１０から搬送されてきた第１カット済用紙は、第１搬送方向１１０とは直角の第２搬送方向１２０の方向に搬送され、第２カッター１２１により、カット位置１２２でカット指示に従ってカットされる。カット後、第２排紙ローラ１２３によりカットされた用紙は排紙されることになる。
【０００７】
図３は第２カッターユニット部によるカット位置説明図である。この図は２つにカットする例であるが、カットされる画像は用紙の先端と後端に詰めて印刷し、用紙の中央部をカットする。それぞれ第１カット位置１２４と第２カット位置１２５でカットされ、第１１カット用紙１２７と第１２カット用紙１２８にカットされ、中央部の第１カット片１２６はカット屑となる。
【０００８】
図４は第１排紙部１１２に排紙される用紙の説明図である。このように第１排紙部１１２に排紙される用紙は、第３カット済用紙１１３のように第１カッター１０４でのカットだけがなされた結果を得るために使用される。
【０００９】
図５はカット指示の説明図であり、図６はカットコマンド仕様の例である。図３で説明したカット位置は、第１カット片１２６のカットを指示するコマンドとして実現されており、図６のコマンド仕様の記述のとおり、カット片のカット位置とそのカット片の幅の組合せで、複数のカット位置が存在する場合にはカット指示する。
【００１０】
図７は上記の個々の動作を組合せて、上段ロールと下段ロールの切替え処理について説明するフローチャートである。本実施例では、上段ロール１０２と下段ロール１０３は違った幅の用紙が装着されているとし、上段ロール１０２には印刷原稿より大きいサイズ、下段ロール１０３には印刷原稿と同一幅の用紙がセットされているものとする。また印刷原稿のサイズはＷｘＨサイズであり、図中のＣｕｔＯｆｆコマンドでカット指示がされるものとする。まずステップＳ１０１で上段ロール１０２の用紙」の有無をチェックする。もし存在する場合には、ステップＳ１０２で通常通りＷｘＨサイズの印刷処理が行われる。続いて、ステップＳ１０３で第２カッターユニット部１１１の第２カッター１２１によるカット処理が行われ、印刷およびカット処理が終了する。ここで、もし上段ロール１０２のロール紙がなくなった場合、ステップＳ１０１からステップＳ１０４に進み、ＷｘＨサイズの画像をＣｕｔＯｆｆコマンドで指示されたカット位置指示を参照して、カット片を削除した有効画像部分のみを切り出した画像をｎ個生成する。次にステップＳ１０５で生成したｎ個の画像の印刷済か否かのチェックを行う。まだ印刷していない画像が残っている場合には、ステップＳ１０６に進み、分割後の各有効画像を印刷処理を行い、ステップＳ１０７で第１排紙部１１２への排紙処理を行う。最後にステップＳ１０８でカウンタを１だけ減算し、ステップＳ１０５に戻る。この処理をｎが正でなくなるまで繰り返す。もしｎが正でなくなった場合には、すべての処理を終了したことになる。
【００１１】
【発明の効果】
本発明によれば、直角方向に配置された２つのカッターを有する印刷装置において、用紙がなくなった場合の切替処理を設けておくことにより、印刷途中で用紙がなくなった場合にも、印刷画像を分割処理して、別の用紙で印刷でき、印刷を中断する必要がないといった利点がある。
【００１２】
これにより、中断による時間の無駄を防止することができ、印刷作業の効率化を図ることができるといった利点がある。
【図面の簡単な説明】
【図１】本発明の第１の実施例を説明する印刷装置の断面図である。
【図２】本発明の第１の実施例を説明する第２カッターユニット部の説明図である。
【図３】本発明の第１の実施例を説明する第２カッターユニット部によるカット位置説明図である。
【図４】本発明の第１の実施例を説明する第１排紙部に排紙される用紙の説明図である。
【図５】本発明の第１の実施例を説明するカット指示の説明図である。
【図６】本発明の第１の実施例を説明するカットコマンド仕様である。
【図７】本発明の第１の実施例を説明するフローチャートである。
【符号の説明】
１０１  印字ヘッド
１０２  上段ロール
１０３  下段ロール
１０４  第１カッター
１０５  搬送ローラ（第１の位置）
１０６  搬送ローラ（第２の位置）
１０７  第１カット済用紙
１０８  第１排紙ローラ
１０９  第２排紙ローラ
１１０  第１搬送方向
１１１  第２カッターユニット部
１１２  第１排紙部
１１３  第３カット済用紙
１２０  第２搬送方向
１２１  第２カッター
１２２  第２カットライン
１２３  第２排紙ローラ
１２４  第１カット位置
１２５  第２カット位置
１２６  第１カット片
１２７  第１１カット用紙
１２８  第１２カット用紙
【図１】
2004181845.tif 000003
【図２】
2004181845.tif 000004
【図３】
2004181845.tif 000005
【図４】
2004181845.tif 000006
【図５】
2004181845.tif 000007
【図６】
2004181845.tif 000008
【図７】
2004181845.tif 000009